(57)【要約】  器具は、本体と、本体から延在するシャフトと、シャフトと連通するエンドエフェクタと、を含む。エンドエフェクタは、長手方向軸を画定する。エンドエフェクタは、対向する第１のジョー及び第２のジョーと、ステープルカートリッジと、配置先端と、を含む。第１のジョー及び第２のジョーのうちの少なくとも一方は、開放構成と閉鎖構成との間で、第１のジョー及び第２のジョーの他方に対して移動可能である。ステープルカートリッジは第２のジョーと連結される。配置先端は、第１のジョーの遠位端部又は第２のジョーの遠位端部から延在する。配置先端は、曲線状経路に沿って延在し、先端部で終端する。曲線状経路に対して垂直に取られた配置先端の連続する外周は、先端部に向かって移動するにつれて減少する。先端部は、エンドエフェクタの長手方向軸に対してある角度で延在する。
2021530307.tif 000002
【特許請求の範囲】
【請求項１】
器具であって、
（ａ）本体と、
（ｂ）前記本体から延在しているシャフトと、
（ｃ）前記シャフトと連通するエンドエフェクタと、を備え、前記エンドエフェクタが、長手方向軸を画定し、前記エンドエフェクタが、組織を圧縮し、ステープル留めし、かつ切断するように動作可能であり、前記エンドエフェクタが、
（ｉ）対向する第１のジョー及び第２のジョーであって、前記第１のジョー及び前記第２のジョーのうちの少なくとも一方が、開放構成と閉鎖構成との間で前記第１のジョー及び前記第２のジョーの他方に対して移動可能である、対向する第１のジョー及び第２のジョーと、
（ｉｉ）１つ又は２つ以上のステープルを保持するように構成されたステープルカートリッジであって、前記ステープルカートリッジが前記第２のジョーと連結されている、ステープルカートリッジと、
（ｉｉｉ）前記第１のジョーの遠位端部又は前記第２のジョーの遠位端部から延在する配置先端であって、前記配置先端が、曲線状経路に沿って延在し、先端部で終端し、前記配置先端が、前記曲線状経路に対して垂直に取られた前記配置先端の連続する外周が前記先端部に向かって移動するにつれて減少するように構成されており、前記先端部が、前記エンドエフェクタの前記長手方向軸に対して非ゼロ角度で延在する、配置先端と、を備える、器具。
【請求項２】
前記第１のジョーが、前記配置先端と連結されたアンビルを含み、前記第２のジョーが前記ステープルカートリッジと取り外し可能に連結されている、請求項１に記載の器具。
【請求項３】
前記配置先端が、前記第１のジョーの前記遠位端部から延在し、前記配置先端が、前記閉鎖位置において前記ステープルカートリッジと接触するように構成されている、請求項１に記載の器具。
【請求項４】
前記第２のジョーが、前記配置先端の前記先端部を越えて遠位に延在するように構成されている、請求項１に記載の器具。
【請求項５】
前記配置先端が、前記閉鎖位置において前記ステープルカートリッジの遠位角度付き表面に接触するように構成されている遠位部分を含む、請求項１に記載の器具。
【請求項６】
前記先端部が、前記閉鎖位置において前記ステープルカートリッジの側方側面に対して平行に延在し、かつ前記側方側面に接触するように構成されている、請求項１に記載の器具。
【請求項７】
前記先端部が、前記閉鎖位置において前記ステープルカートリッジの側方側面に対して平行に延在し、かつ前記側方側面からある距離離れるように構成されている、請求項１に記載の器具。
【請求項８】
前記配置先端の遠位部分が、前記エンドエフェクタの前記長手方向軸に沿った非対称的なプロファイルを有する、請求項１に記載の器具。
【請求項９】
前記配置先端の遠位部分が、前記配置先端が患者のトロカールを通って遠位に前進するときに近位に偏向するように構成されている、請求項１に記載の器具。
【請求項１０】
前記遠位部分が、前記ステープルカートリッジの１つの側方側面上でのみ、反対側の前記ジョーを越えて延在する第１の張り出し部分を含む、請求項１に記載の器具。
【請求項１１】
前記先端部と前記長手方向軸との間に形成された角度が、約９０度である、請求項１に記載の器具。
【請求項１２】
前記配置先端が、Ｃ字形状である、請求項１に記載の器具。
【請求項１３】
前記配置先端が、近位部分及び遠位部分を含み、前記近位部分が、前記配置先端の反対側に配設された前記ジョーのジョー幅未満の近位先端幅を有し、前記遠位部分が、前記配置先端の反対側に配設された前記ジョーの前記ジョー幅よりも大きい遠位先端幅を有する、請求項１に記載の器具。
【請求項１４】
前記配置先端が、近位部分及び遠位部分を含み、前記遠位部分が、反対側の前記ジョーの横方向幅よりも大きい横方向幅を有する、請求項１に記載の器具。
【請求項１５】
前記配置先端が、前記近位部分と前記遠位部分との間に配設された中央部分を含み、前記中央部分が、前記近位部分の横方向幅未満の横方向幅を有し、前記近位部分の前記横方向幅が、前記反対側のジョーの横方向幅未満である、請求項１４に記載の器具。
【請求項１６】
器具であって、
（ａ）本体と、
（ｂ）前記本体から延在しているシャフトと、
（ｃ）前記シャフトと連通するエンドエフェクタと、を備え、前記エンドエフェクタが、長手方向軸を画定し、前記エンドエフェクタが、組織を圧縮し、ステープル留めし、かつ切断するように動作可能であり、前記エンドエフェクタが、
（ｉ）対向する第１のジョー及び第２のジョーであって、前記第１のジョー及び前記第２のジョーのうちの少なくとも一方が、開放位置と閉鎖位置との間で前記第１のジョー及び前記第２のジョーの他方に対して移動可能である、対向する第１のジョー及び第２のジョーと、
（ｉｉ）１つ又は２つ以上のステープルを保持するように構成されたステープルカートリッジであって、前記ステープルカートリッジが前記第２のジョーと連結されている、ステープルカートリッジと、
（ｉｉｉ）前記第１のジョーの遠位端部又は前記第２のジョーの遠位端部から延在する配置先端であって、前記配置先端が、
（Ａ）近位先端幅を有する近位部分と、
（Ｂ）前記配置先端の反対側に配設された前記ジョーのジョー幅よりも大きい遠位先端幅を有する遠位部分と、を備える、配置先端と、を備える、器具。
【請求項１７】
前記遠位部分が、前記ステープルカートリッジの１つの側方側面上でのみ、反対側の前記ジョーを越えて延在する第１の張り出し部分を含む、請求項１６に記載の器具。
【請求項１８】
前記遠位部分が、両方の側方側面上で反対側の前記ジョーの前記幅を越えて延在する第１の張り出し部分及び第２の張り出し部分を含み、前記第１の張り出し部分及び前記第２の張り出し部分が、前記エンドエフェクタの前記長手方向軸に関して対称的である、請求項１６に記載の器具。
【請求項１９】
器具のための配置先端であって、前記器具が、対向して配設された第１のジョー及び第２のジョーを含むエンドエフェクタを備え、前記配置先端が、
（ａ）近位先端幅を有する近位部分と、
（ｂ）前記配置先端の反対側に配設された前記ジョーのジョー幅よりも大きい遠位先端幅を有する遠位部分と、を備える、配置先端。
【請求項２０】
前記遠位部分が、両方の側方側面上で反対側の前記ジョーの前記幅を越えて延在する第１の張り出し部分及び第２の張り出し部分を含み、前記第１の張り出し部分及び前記第２の張り出し部分が、前記エンドエフェクタの前記長手方向軸に関して対称的である、請求項１９に記載の配置先端。
【発明の詳細な説明】
【背景技術】
【０００１】
内視鏡外科用器具は、エンドエフェクタとハンドル部分との間に、臨床医によって操作されるシャフトを含み得る。このようなシャフトは、所望の深さへのトロカールを通した挿入及びシャフトの長手方向軸を中心とした回転を可能にし、それにより患者の体内でエンドエフェクタの位置付けを行うことを容易にする。エンドエフェクタの位置付けは、エンドエフェクタをシャフトの長手方向軸に対して選択的に関節動作させるか又は別様に偏向させることを可能にする、１つ若しくは２つ以上の関節ジョイント又は機構を含めることによって更に容易にすることができる。
【０００２】
内視鏡外科用器具の例として、外科用ステープラが挙げられる。このようなステープラのいくつかは、組織層をクランプし、クランプされた組織層を切断し、組織層を通してステープルを打ち込むことによって、組織層の切断された端部の近くで、切断された組織層同士を互いに実質的にシールするように動作可能である。単なる例示的な外科用ステープラが、２００８年６月３日に発行された、米国特許第７，３８０，６９６号、名称「Ａｒｔｉｃｕｌａｔｉｎｇ  Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｔｗｏ−Ｐｉｅｃｅ  Ｅ−Ｂｅａｍ  Ｆｉｒｉｎｇ  Ｍｅｃｈａｎｉｓｍ」、２０１３年４月２日に発行された、米国特許第８，４０８，４３９号、名称「Ｓｕｒｇｉｃａｌ  Ｓｔａｐｌｉｎｇ  Ｉｎｓｔｒｕｍｅｎｔ  ｗｉｔｈ  Ａｎ  Ａｒｔｉｃｕｌａｔａｂｌｅ  Ｅｎｄ  Ｅｆｆｅｃｔｏｒ」、及び２０１３年６月４日に発行された、米国特許第８，４５３，９１４号、名称「Ｍｏｔｏｒ−Ｄｒｉｖｅｎ  Ｓｕｒｇｉｃａｌ  Ｃｕｔｔｉｎｇ  Ｉｎｓｔｒｕｍｅｎｔ  ｗｉｔｈ  Ｅｌｅｃｔｒｉｃ  Ａｃｔｕａｔｏｒ  Ｄｉｒｅｃｔｉｏｎａｌ  Ｃｏｎｔｒｏｌ  Ａｓｓｅｍｂｌｙ」において開示されている。上に引用した米国特許及び米国特許出願公開のそれぞれの開示は、参照により本明細書に組み込まれる。
【０００３】
外科用ステープラはまた、開放処置及び／又は他の非内視鏡処置において使用されてもよい。あくまで例としてであるが、トロカールをステープラの導管として使用しない胸部外科手術では、外科用ステープラを開胸術によって患者の肋骨の間に挿入し、１つ又は２つ以上の臓器に到達させることもできる。例えば、臓器につながる血管を、胸腔から臓器を切除する前にステープラによって切断して閉鎖することができる。当然のことながら、外科用ステープラは、様々な他の状況及び手術において使用され得る。
【０００４】
様々な種類の外科用ステープル留め器具及び関連構成要素が作製され使用されてきたが、本発明者（ら）以前には、添付の特許請求の範囲に記載されている発明を誰も作製又は使用したことがないものと考えられる。
【図面の簡単な説明】
【０００５】
本明細書に組み込まれていると共にその一部をなす添付の図面は、本発明の実施形態を図示したものであり、上記の本発明の一般的説明、及び以下の実施形態の詳細な説明と共に、本発明の原理を説明する役割を果たすものである。
【図１】第１の例示的な外科用ステープル留め器具の斜視図を示す。
【図２】第１の例示的なエンドエフェクタを備えた図１の器具の側面図を示す。
【図３】開放構成の図１の器具のエンドエフェクタの斜視図を示す。
【図４Ａ】発射ビームが近位位置にある、図３の線４−４に沿って取られた、図３のエンドエフェクタの側面断面図を示す。
【図４Ｂ】発射ビームが遠位位置にある、図３の線４−４に沿って取られた、図３のエンドエフェクタの側面断面図を示す。
【図５】図３の線５−５に沿って取られた、図３のエンドエフェクタの端断面図を示す。
【図６】図３のエンドエフェクタの分解斜視図を示す。
【図７】組織に位置付けられ、かつ組織内で１回作動された後の、図３のエンドエフェクタの斜視図を示す。
【図８】角度付きカートリッジと、先端を有する角度付きアンビルとを含む、第２の例示的なエンドエフェクタの斜視図を示す。
【図９】図８のエンドエフェクタの拡大側面図を示す。
【図１０】図８のエンドエフェクタの拡大上面図を示す。
【図１１】第１の例示的な配置先端を備えた第３の例示的なエンドエフェクタを備えた第２の例示的な外科用ステープル留め器具の斜視図を示し、上方ジョー及び下方ジョーは開放構成にある。
【図１２】閉鎖構成にある上方ジョー及び下方ジョーを備えた、図１１のエンドエフェクタの遠位部分の拡大斜視図を示す。
【図１３】閉鎖構成にある図１１のエンドエフェクタの遠位部分の側面図を示す。
【図１４】図１１のエンドエフェクタの遠位部分の上面図を示す。
【図１５】図１４の線１５−１５に沿って取られた、図１１のエンドエフェクタのアンビルの断面図を示す。
【図１６】図１４の線１６−１６に沿って取られた、図１１のエンドエフェクタの配置先端の断面図を示す。
【図１７】図１４の線１７−１７に沿って取られた、図１１のエンドエフェクタの配置先端の断面図を示す。
【図１８】図１４の線１８−１８に沿って取られた、図１１のエンドエフェクタの配置先端の断面図を示す。
【図１９】図１４の線１９−１９に沿って取られた、図１１のエンドエフェクタの配置先端の断面図を示す。
【図２０】図１４の線２０−２０に沿って取られた、図１１のエンドエフェクタの配置先端の断面図を示す。
【図２１】図１４の線２１−２１に沿って取られた、図１１のエンドエフェクタの配置先端の断面図を示す。
【図２２】閉鎖構成である第２の例示的な配置先端を備えた第４の例示的なエンドエフェクタの遠位部分の斜視図を示す。
【図２３】図２２のエンドエフェクタの遠位部分の側面図を示す。
【図２４】閉鎖構成にある図２２のエンドエフェクタの遠位部分の上面図を示す。
【図２５】閉鎖構成にある第３の例示的な配置先端を有する第５の例示的なエンドエフェクタの遠位部分の斜視図を示す。
【０００６】
図面は、いかなる方式でも限定することを意図しておらず、本発明の様々な実施形態は、図面に必ずしも描写されていないものを含め、他の様々な方式で実施し得ることが企図される。本明細書に組み込まれ、その一部をなす添付図面は、本発明のいくつかの態様を図示したものであり、本説明文と共に本発明の原理を説明する役割を果たすものである。しかしながら、本発明が、示される正確な配置に限定されない点は理解される。
【発明を実施するための形態】
【０００７】
本技術の特定の実施例の以下の説明は、その範囲を限定する目的で用いられるべきではない。本技術の他の実施例、特徴、態様、実施形態、及び利点は、実例として、本技術を実施する上で想到される最良の態様の１つである以下の説明により、当業者には明らかとなるであろう。理解されるように、本明細書に記載される技術は、いずれもその技術から逸脱することなく、他の異なる、かつ明らかな態様が可能である。したがって、図面及び説明は、限定的な性質のものではなく例示的な性質のものとみなされるべきである。
【０００８】
本明細書に記載される教示、表現、実施形態、実施例などの任意の１つ又は２つ以上のものを、本明細書に記載される他の教示、表現、実施形態、実施例などの任意の１つ又は２つ以上のものと組み合わせることができる点も、更に理解されよう。したがって、以下に記載される教示、表現、実施形態、実施例などは、互いに対して切り離して考慮されるべきではない。本明細書における教示を鑑みると、本明細書の教示を組み合わせることができる種々の好適な方法が、当業者には直ちに明らかとなろう。このような修正形態及び変形形態は、特許請求の範囲の範囲内に含まれるものとする。
【０００９】
本開示の明瞭さのために、「近位」及び「遠位」という用語は、人間又はロボットである外科用器具の操作者に対して、本明細書で定義する。「近位」という用語は、人間又はロボットである外科用器具の操作者により近く、かつ、外科用器具の外科用エンドエフェクタから更に離れた要素の位置を意味する。「遠位」という用語は、外科用器具の外科用エンドエフェクタにより近く、かつ、人間又はロボットである外科用器具の操作者から更に離れた要素の位置を意味する。加えて、「上方」、「下方」、「側方、横方向」、「横」、「底部」、及び「頂部」という用語は、以下に提供される図の説明に更なる明瞭性を提供するための相対的な用語である。「上方」、「下方」、「側方、横方向」、「横」、「底部」、及び「頂部」という用語は、したがって、本明細書に説明される本発明を不必要に限定することを意図されるものではない。
【００１０】
加えて、「第１の」及び「第２の」という用語は、本明細書では、外科用器具の１つ又は２つ以上の部分を区別するために使用される。例えば、第１のアセンブリ及び第２のアセンブリは、代替的に及びそれぞれ、第２のアセンブリ及び第１のアセンブリとして説明されてもよい。「第１の」及び「第２の」という用語及び他の数値表記は、そのような用語の単なる例示であり、本明細書に記載される本発明を不必要に限定することを意図するものではない。
【００１１】
Ｉ．第１の例示的なエンドエフェクタを有する第１の例示的な外科用器具
図１〜図７は、外科的処置を行うために、トロカールカニューレ又は切り込みを通って患者内の手術部位まで挿入するように寸法決めされている、第１の例示的な外科用ステープル留め及び切断器具（１０）を示す。本実施例の器具（１０）は、シャフト（２２）に接続されたハンドル部分（２０）を含み、シャフト（２２）は、第１の例示的なエンドエフェクタ（１２）と更に連結される関節動作ジョイント（１１）で遠位に終端する。シャフト（２２）は、その開示が参照により本明細書に組み込まれる、２０１７年１０月２４日に発行された、米国特許第９，７９５，３７９号、名称「Ｓｕｒｇｉｃａｌ  Ｉｎｓｔｒｕｍｅｎｔ  ｗｉｔｈ  Ｍｕｌｔｉ−Ｄｉａｍｅｔｅｒ  Ｓｈａｆｔ」の教示のうちの少なくとも一部に従って構築することができる。
【００１２】
関節動作ジョイント（１１）及びエンドエフェクタ（１２）が、トロカールのカニューレ通路を通って一旦挿入されると、関節動作ジョイント（１１）は、図１に仮想線で描写されるように、関節動作制御部（１３）によって遠隔に操作され、関節動作することができ、エンドエフェクタ（１２）を、シャフト（２２）の長手方向軸線（ＬＡ）から所望の角度（α）に偏向することができる。関節動作ジョイント（１１）及び／又は関節動作制御部（１３）は、その開示が参照により本明細書に組み込まれる、２０１５年１１月１７日に発行された、米国特許第９，１８６，１４２号、名称「Ｓｕｒｇｉｃａｌ  Ｉｎｓｔｒｕｍｅｎｔ  Ｅｎｄ  Ｅｆｆｅｃｔｏｒ  Ａｒｔｉｃｕｌａｔｉｏｎ  Ｄｒｉｖｅ  ｗｉｔｈ  Ｐｉｎｉｏｎ  ａｎｄ  Ｏｐｐｏｓｉｎｇ  Ｒａｃｋｓ」、及び／又は、その開示が参照により本明細書に組み込まれる、米国特許第９，７９５，３７９号の教示の少なくとも一部に従って構築され、かつ動作可能であり得る。
【００１３】
本例のエンドエフェクタ（１２）は、下方ジョー（１６）及び枢動可能なアンビル（１８）を含む。下方ジョー（１６）は、その開示が参照により本明細書に組み込まれる、２０１７年１１月７日に発行された、米国特許第９，８０８，２４８号、名称「Ｉｎｓｔａｌｌａｔｉｏｎ  Ｆｅａｔｕｒｅｓ  ｆｏｒ  Ｓｕｒｇｉｃａｌ  Ｉｎｓｔｒｕｍｅｎｔ  Ｅｎｄ  Ｅｆｆｅｃｔｏｒ  Ｃａｒｔｒｉｄｇｅ」の教示の少なくとも一部に従って構築され得る。アンビル（１８）は、その開示が参照により本明細書に組み込まれる、２０１６年１２月１３日に発行された、米国特許第９，５１７，０６５号、名称「Ｉｎｔｅｇｒａｔｅｄ  Ｔｉｓｓｕｅ  Ｐｏｓｉｔｉｏｎｉｎｇ  ａｎｄ  Ｊａｗ  Ａｌｉｇｎｍｅｎｔ  Ｆｅａｔｕｒｅｓ  ｆｏｒ  Ｓｕｒｇｉｃａｌ  Ｓｔａｐｌｅｒ」、その開示が参照により本明細書に組み込まれる、２０１７年１２月１２日に発行された、米国特許第９，８３９，４２１号、名称「Ｊａｗ  Ｃｌｏｓｕｒｅ  Ｆｅａｔｕｒｅ  ｆｏｒ  Ｅｎｄ  Ｅｆｆｅｃｔｏｒ  ｏｆ  Ｓｕｒｇｉｃａｌ  Ｉｎｓｔｒｕｍｅｎｔ」、及び／又は、その開示が参照により本明細書に組み込まれる、２０１４年８月２８日に公開された、米国特許出願公開第２０１４／０２３９０３７号、名称「Ｓｔａｐｌｅ  Ｆｏｒｍｉｎｇ  Ｆｅａｔｕｒｅｓ  ｆｏｒ  Ｓｕｒｇｉｃａｌ  Ｓｔａｐｌｉｎｇ  Ｉｎｓｔｒｕｍｅｎｔ」の教示の少なくとも一部に従って構築され得る。
【００１４】
ハンドル部分（２０）は、ピストル把持部（２４）及び閉鎖トリガ（２６）を含む。閉鎖トリガ（２６）は、ピストル把持部（２４）に向かって枢動可能であり、エンドエフェクタ（１２）の下方ジョー（１６）に向かってアンビル（１８）のクランプ又は閉鎖を行うことができる。かかるアンビル（１８）の閉鎖は、閉鎖管（３２）及び閉鎖リング（３３）を介してもたらされ、その両方とも、ピストル把持部（２４）に対する閉鎖トリガ（２６）の枢動に応じてハンドル部分（２０）に対して長手方向に移動する。閉鎖管（３２）は、シャフト（２２）の長さに沿って延在し、閉鎖リング（３３）は、関節動作ジョイント（１１）の遠位に位置付けられている。関節動作ジョイント（１１）は、閉鎖管（３２）から閉鎖リング（３３）までの長手方向の運動を伝達／伝送するように動作可能である。
【００１５】
ハンドル部分（２０）はまた、発射トリガ（２８）（図２に図示）を含む。細長部材（図示せず）は、シャフト（２２）を通って長手方向に延在し、発射トリガ（２８）の作動に応じて、ハンドル部分（２０）から発射ビーム（１４）まで長手方向の発射動作を伝達する。以下で更に詳細に説明されるように、発射ビーム（１４）が遠位に移動することにより、エンドエフェクタ（１２）においてクランプされた組織のステープル留め及び切断が行われる。
【００１６】
図３〜図６は、Ｅビーム形態の発射ビーム（１４）を取り入れているエンドエフェクタ（１２）を示す。図４Ａ及び図４Ｂに最もわかりやすく示されるように、発射ビーム（１４）は、横断方向に配向された上方ピン（３８）と、発射ビームキャップ（４４）と、横断方向に配向された中間ピン（４６）と、遠位方向に提示された切断縁部（４８）と、を含む。上方ピン（３８）は、アンビル（１８）の長手方向アンビルスロット（４２）内に位置付けられ、長手方向アンビルスロット（４２）内を移動可能である。発射ビームキャップ（４４）は、下方ジョー（１６）を通って形成された下方ジョースロット（４５）（図４Ｂに図示）を通って延在する発射ビーム（１４）を有することによって、下方ジョー（１６）の下方表面に摺動可能に係合する。中間ピン（４６）は、発射ビームキャップ（４４）と協働する下方ジョー（１６）の上面に摺動可能に係合する。発射ビーム（１４）及び／又は関連するロックアウト機構は、その開示が参照により本明細書に組み込まれる、２０１７年８月１日に発行された、米国特許第９，７１７，４９７号、名称「Ｌｏｃｋｏｕｔ  Ｆｅａｔｕｒｅ  ｆｏｒ  Ｍｏｖａｂｌｅ  Ｃｕｔｔｉｎｇ  Ｍｅｍｂｅｒ  ｏｆ  Ｓｕｒｇｉｃａｌ  Ｉｎｓｔｒｕｍｅｎｔ」の教示の少なくとも一部に従って構築され、かつ動作可能であり得る。
【００１７】
図３は、近位に位置付けられている本発明の例の発射ビーム（１４）と、開放構成まで枢動され、下方ジョー（１６）のチャネル内に、未使用のステープルカートリッジ（３７）を着脱可能に装着できるようにするアンビル（１８）と、を示す。図５及び図６に最もわかりやすく示されるように、この例のステープルカートリッジ（３７）は、上方デッキ（７２）を提示し、下方カートリッジトレー（７４）と連結されている、カートリッジ本体（７０）を含む。図３に最もわかりやすく示されるように、垂直スロット（４９）が、ステープルカートリッジ（３７）の一部を通じて形成されている。また図３に最もわかりやすく示されるように、３列のステープル開口部（５１）が、垂直スロット（４９）の片側の上方デッキ（７２）を貫通して形成され、別の３列のステープル開口部（５１）の組が、垂直スロット（４９）の他方の側の上方デッキ（７２）を貫通して形成されている。図４Ａ〜図６に示されるように、楔形スレッド（４１）及び複数のステープルドライバ（４３）は、カートリッジ本体（７０）とトレー（７４）との間に捕捉されており、楔形スレッド（４１）は、ステープルドライバ（４３）よりも近位に位置している。楔形スレッド（４１）は、ステープルカートリッジ（３７）内で長手方向に移動可能であるが、ステープルドライバ（４３）は、ステープルカートリッジ（３７）内で垂直方向に移動可能である。ステープル（４７）も、カートリッジ本体（７０）内で、対応するステープルドライバ（４３）の上に配置されている。各ステープル（４７）は、ステープルドライバ（４３）によってカートリッジ本体（７０）内で垂直方向に駆動されて、付随するステープル開口部（５１）を通して外へステープル（４７）を駆動する。図４Ａ、図４Ｂ、及び図６に最もわかりやすく示されるように、楔形スレッド（４１）は、楔形スレッド（４１）がステープルカートリッジ（３７）を通って遠位方向に駆動されるにつれてステープルドライバ（４３）を上向きに促す、傾斜したカム表面を提示する。ステープルカートリッジ（３７）は、その開示が参照により本明細書に組み込まれる、米国特許第９，５１７，０６５号、及び／又はその開示が参照により本明細書に組み込まれる、米国特許第９，８０８，２４８号の教示の少なくとも一部に従って構築され、かつ動作可能であり得る。
【００１８】
図４Ａ及び図４Ｂに描写されるように、閉鎖管（３２）及び閉鎖リング（３３）を遠位方向に前進させることによってエンドエフェクタ（１２）が閉鎖された状態で、発射ビーム（１４）は、次いで、上方ピン（３８）を長手方向アンビルスロット（４２）に入れることによって、アンビル（１８）と係合して前進する。プッシャブロック（８０）（図５に図示）は、発射ビーム（１４）の遠位端部に位置し、かつ、発射トリガ（２８）が作動した際、発射ビーム（１４）がステープルカートリッジ（３７）を通って遠位方向に前進するにつれて楔形スレッド（４１）を押す。かかる発射中に、発射ビーム（１４）の切断縁部（４８）は、ステープルカートリッジ（３７）の垂直スロット（４９）に入り、ステープルカートリッジ（３７）とアンビル（１８）との間にクランプされている組織を切断する。図４Ａ及び図４Ｂに示すように、中間ピン（４６）及びプッシャブロック（８０）は共に、ステープルカートリッジ（３７）内の垂直スロット（４９）内に入ることによって、ステープルカートリッジ（３７）を作動させ、楔形スレッド（４１）をステープルドライバ（４３）との上向きのカム接触へと駆動すると、ステープル（４７）は、ステープル開口部（５１）を通って外へと駆動され、アンビル（１８）の内面のステープル成形ポケット（５３）（図３に図示）との成形接触へと駆動される。図４Ｂは、組織の切断及びステープル留めが完了した後、遠位方向に完全に移動した発射ビーム（１４）を示す。ステープル成形ポケット（５３）は、図４Ａ及び図４Ｂの図からは意図的に省略されているが、図３には示されている。アンビル（１８）は、図５の図から意図的に省略される。
【００１９】
図７は、組織（９０）を通じた１回のストロークを通して作動されたエンドエフェクタ（１２）を示している。切断縁部（４８）（図７では不明瞭）は、組織（９０）を切断しており、一方、ステープルドライバ（４３）は、切断縁部（４８）が作り出した切断線の各側で、組織（９０）を通してステープル（４７）の３本の交互の列を駆動している。第１のストロークが完了した後にエンドエフェクタ（１２）を患者から引き抜き、使用済みのステープルカートリッジ（３７）を新しいステープルカートリッジと交換してから、エンドエフェクタ（１２）を再び挿入して、ステープル留めする部位に到達させて更なる切断及びステープル留めを行う。所望の数の切断及びステープル（４７）が提供されるまで、このプロセスを繰り返すことができる。
【００２０】
器具（１０）のいくつかの形態は、発射ビーム（１４）の電動制御を提供する。このような電動制御は、その開示が参照により本明細書に組み込まれる、２０１７年４月１８日に発行された、米国特許第９，６２２，７４６号、名称「Ｄｉｓｔａｌ  Ｔｉｐ  Ｆｅａｔｕｒｅｓ  ｆｏｒ  Ｅｎｄ  Ｅｆｆｅｃｔｏｒ  ｏｆ  Ｓｕｒｇｉｃａｌ  Ｉｎｓｔｒｕｍｅｎｔ」、及び／又は、その開示が参照により本明細書に組み込まれる、２０１２年７月３日に発行された、米国特許第８，２１０，４１１号、名称「Ｍｏｔｏｒ−Ｄｒｉｖｅｎ  Ｓｕｒｇｉｃａｌ  Ｉｎｓｔｒｕｍｅｎｔ」の教示の少なくとも一部に従って提供され得る。
【００２１】
器具（１０）の動作の説明において、「枢動する」という用語（及び「枢動」を基体とした類義語）の使用は、必ずしも固定軸を中心とした枢動運動を必要とすると理解されるべきではない。いくつかの形態では、アンビル（１８）は、アンビル（１８）が下方ジョー（１６）に向かって動く際、細長スロット又はチャネルに沿ってスライドするピン（又は同様の機構）によって画定される軸を中心として枢動する。かかる形態では、枢軸がスロット又はチャネルによって画定される経路に沿って移動する一方で、アンビル（１８）も同時にその枢軸を中心として枢動する。追加的に、又は代替的に、まず枢軸がスロット／チャネルに沿ってスライドし、更に、枢軸がスロット／チャネルに沿ってある一定の距離をスライドした後、アンビル（１８）が枢軸を中心として枢動してもよい。そのようなスライド／並進枢動運動は、「枢動」、「枢動する」、「枢動の」、「枢動可能な」、「枢動している」などの用語内に包含される。
【００２２】
器具（１０）は、本明細書に引用される特許参考文献のうちのいずれかの教示に従って構成され、かつ動作可能であってもよい。器具（１０）に提供され得る更なる例示的な修正形態を、以下でより詳細に説明する。また、以下の教示は、本明細書に引用される特許に教示される器具（１０）又はデバイスに限定されない。以下の教示は、外科用ステープラとして分類されない器具を含む他の様々な種類の器具にも容易に応用可能である。以下の教示を適用することができる他の様々な好適なデバイス及び状況は、本明細書の教示を考慮すれば当業者には明らかになるであろう。
【００２３】
ＩＩ．第２の例示的なエンドエフェクタを有する第１の例示的な外科用器具
エンドエフェクタ（１２）が手術部位に挿入される際、ユーザは、処置中に器具（１０）のシャフト（２２）及びエンドエフェクタ（１２）を回転させてもよい。いくつかの例では、エンドエフェクタ（１２）の下方ジョー（１６）は、アンビル（１８）よりも視認可能であり、他の例では、アンビル（１８）は、下方ジョー（１６）よりも視認可能である。図１の器具（１０）において可能であるものを越えて手術部位の視認性をユーザにもたらすことが望ましくあり得る。例えば、流体を輸送している血管を切断し、ステープル留めを行ういくつかの外科的処置の場合には、アンビル（１８）及び下方ジョー（１６）が、切断される血管を完全に包み込んでいることが目視確認でき、１回の作動で血管を完全に切断かつステープル留めできることが望ましい場合もある。オペレータが血管に対するアンビル（１８）及び下方ジョー（１６）の適切な位置をより容易に視覚的に確認して、血管を完全にクランプすることを可能にすることが望ましい場合もある。手術部位の視覚化を向上させる１つの考えられる方法として、下方ジョー（１６）及びアンビル（１８）の遠位先端に隣接する領域の可視化を改善することが挙げられ得る。また、アンビル（１８）の遠位端部が、アンビル（１８）が下方ジョー（１６）に向かって閉鎖する際にアンビル（１８）と下方ジョー（１６）との間の空間内に近位方向に組織（例えば、大血管）を付勢するように構成されるように、エンドエフェクタ（１２）を構築することが望ましい場合もある。
【００２４】
図８は、アンビル（２１８）及び下方ジョー（２１６）を含む、第２の例示的なエンドエフェクタ（２１２）を示す。エンドエフェクタ（２１２）は、器具（１０）のエンドエフェクタ（１２）の代わりに使用されてもよい。エンドエフェクタ（２１２）は、器具（１０）と一体的に形成されてもよく、代替的に、器具（１０）のエンドエフェクタ（１２）と互換的であってもよい。アンビル（２１８）は、下方ジョー（２１６）に対して枢動するように動作可能である。アンビル（２１８）及び下方ジョー（２１６）は、図１に示すアンビル（１８）及び下方ジョー（１６）によって行われるクランプと同様に組織（９０）をクランプすることができる。エンドエフェクタ（２１２）は、図３に示すカートリッジ（３７）と同様に、下方ジョー（２１６）内に定置されるように動作可能なカートリッジ（２３７）を更に含む。
【００２５】
図８〜図１０に示されるアンビル（２１８）は細長い形状を有し、アンビル（２１８）の遠位部分は、アンビル（２１８）の最遠位先端（２１９）がカートリッジ（２３７）よりも更に遠位に長手方向に延在するように、カートリッジ（２３７）に向かって角度付けられている。代替的に、最遠位先端（２１９）は、長手方向にカートリッジ（２３７）と等しい距離まで延在してもよく、又はカートリッジ（２３７）上の最遠位点よりも近位に延在してもよい。図１０に最もわかりやすく示されるように、アンビル（２１８）は、アンビル（２１８）の最遠位先端（２１９）に近づくにつれてテーパ状になる側面（２４１）を含む。アンビル（２１８）の角度付き形状により、エンドエフェクタ（２１２）を手術部位へより容易に挿入することができる。例えば、アンビル（２１８）の緩斜面又は反転したスキー先端形状は、アンビル（２１８）が組織に接触する際、又は組織を通って動く際、非外傷性の組織偏向表面を提供することができる。このような非外傷性組織の偏向は、アンビル（２１８）が下方ジョー（２１６）に向かって閉鎖する際に、アンビル（２１８）と下方ジョー（２１６）との間の空間内に近位に組織（例えば、大血管）を付勢することを含み得る。一旦手術部位に定置されると、アンビル（２１８）の角度付き形状はまた、エンドエフェクタ（２１２）のより良好な操作性、及び外科手術部位の解剖学的構造に対するエンドエフェクタ（２１２）の遠位端部のより良好な視認性を提供し得る。
【００２６】
カートリッジ（２３７）は、組織内に駆動するための、図４Ａに示すステープル（４７）と同様のステープルを保持するように動作可能である。図９に示すように、カートリッジ（２３７）の遠位端部は、上方テーパ状表面（２３９）及び下方テーパ状表面（２３８）によって画定された三角形の輪郭を有する。カートリッジ（２３７）の遠位端部はまた、各側面上にテーパ状側面（２４３）を含む。本例では、カートリッジ（２３７）の各テーパ状側面（２４３）は、アンビル（２１８）の側面（２４１）によって提示されるテーパと概ね整列する。したがって、図１０に示されるように、カートリッジ（２３７）の側面（２４３）は、アンビル（２１８）の側面（２４１）を越えてエンドエフェクタ（２１２）の長手方向軸（ＬＡ）から外向きに延在しない。上方テーパ状表面（２３９）及び下方テーパ状表面（２３８）は、カートリッジ（２３７）の最遠位端部につながる。下方テーパ状表面（２３８）は、視線（２４０）を画定し、エンドエフェクタ（２１２）が手術部位に一旦挿入されると、ユーザは、視線（２４０）に沿って見ることができる。視線（２４０）は、下方テーパ状表面（２３８）の縁部に沿って延在する。視線（２４０）は、エンドエフェクタ（２１２）を通って長手方向に延在する長手方向軸（ＬＡ）と交差して、視野角（θ）を形成する。
【００２７】
下方テーパ状表面（２３８）の平面形状は、アンビル（２１８）の最遠位先端（２１９）の可視化を容易にする。視野角（θ）は、ユーザが最遠位先端（２１９）を有する相対可視性を確立することができ、これにより、ユーザは、視野角（θ）内の視線（２４０）と長手方向軸線（ＬＡ）との交点を通過する任意の視線に沿って最遠位先端（２１９）の前方で見ることができる。視野角（θ）が増加するにつれて、ユーザは、近位の視座から最遠位先端（２１９）のすぐ前方の領域のより大きな視認性を有することになるが、視野角（θ）が減少するにつれて、ユーザは、近位の視座から最遠位先端（２１９）の前方の領域のより低い視認性を有する。いくつかの形態では、視野角（θ）は、９０度を超える角度を画定する。加えて、いくつかの形態では、視野角（θ）は、１３５度を超える角度を画定する。例示された形態では、ユーザは、一般に、視線（２４０）に沿って又は視野角（θ）の範囲内の一部の他の視線に沿って見るため、ユーザは、視線並びに視野角（θ）の範囲内の任意の領域に沿う視認性を有する。最遠位先端（２１９）の下側は、長手方向軸線（ＬＡ）と視線（２４０）との交点の視認性を補助するように更にわずかに丸みを帯びている。
【００２８】
組織（９０）が、閉鎖されたカートリッジ（２３７）とアンビル（２１８）との間にクランプされるとき、ユーザは、視線（２４０）に沿って又は視野角（θ）の範囲内のどこかから見て、例えば、アンビル（２１８）がどこで組織（９０）をクランプしたかを正確に確認することができる。更に、ユーザは、組織がエンドエフェクタ（２１２）の端部を越えてはみ出さないように、組織がアンビル（２１８）とカートリッジ（２３７）との間で完全にクランプされているかどうかを判定することができるであろう。ユーザは、組織（９０）に対するアンビル（２１８）とカートリッジ（２３７）との間のクランプの質も視認することができるだろう。いくつかの例では、組織（９０）をクランプする前に、クランプ中に、又はクランプした後に、エンドエフェクタ（２１２）を回転させてもよい。その結果、アンビル（２１８）のテーパ状形状はまた、最遠位先端（２１９）の、又は実質的に隣接する最遠位先端（２１９）の、より見やすい視界を提供することができる。カートリッジ（２３７）の下方テーパ状表面（２３８）に沿うアンビル（２１８）のテーパにより、非外傷的に、エンドエフェクタ（２１２）を組織内へ容易に挿入することを更に促進し得る。更に、エンドエフェクタ（２１２）のテーパ状端部によって、トロカール又はエンドエフェクタ（２１２）を手術部位に導入するように動作可能な他のデバイスを通ってエンドエフェクタ（２１２）を嵌合させることがより容易となり得る。下方テーパ状表面（２３８）及びアンビル（２１８）のテーパ状形状は、エンドエフェクタ（２１２）の残りの部分をトロカール内に誘導する引き込み部を提供してもよい。したがって、視認性及び操作性は、アンビル（２１８）の両側面（２４１）及びカートリッジ（２３７）の各側面（２４３）のテーパ状の設計によって向上させることができる。
【００２９】
前述に加えて、エンドエフェクタ（２１２）及びエンドエフェクタ（２１２）を組み込んだ器具（１０）の形態は、本明細書に引用される特許参考文献のうちのいずれか１つ又は２つ以上の教示に従って構成され、かつ動作可能であってもよい。エンドエフェクタ（２１２）に組み込まれ得る更なる修正形態が、以下により詳細に説明される。
【００３０】
いくつかの処置では、組織に沿って、又は組織を通して切断することが必要であり得、その場合、１つよりも多い切断順序が、処理を完了するために必要であり、換言すれば、連続経路に沿って連続的に切断する。このような処置では、この連続的な切断技術は、「マーチング（marching）」として定義され得る。マーチングを伴う処置では、器具（１０）は、手術部位に配置され、切断及びステープル留めするように作動され、次いで、新しいカートリッジ（３７）を装着するために手術部位から除去され、次いで、以前の切断及びステープル留めサイクルが行われた同一経路に沿った次の切断及びステープル留めのために手術部位に再び配置され得る。このプロセスは、切断及びステープル留め処置が完了するまで繰り返される。図４Ａ、図４Ｂ及び図７からわかるように、エンドエフェクタ（１２）の遠位端部構成は、アンビル（１８）の遠位端部とカートリッジ（３７）の遠位端部との間に間隙を提供する。この間隙は、各マーチング工程の開始時に、エンドエフェクタ（１２）の遠位端部を進入させる組織の非外傷性空間を提供することによって、マーチングを容易にし得る。
【００３１】
上記のように、エンドエフェクタ（２１２）の遠位端部構成は、エンドエフェクタ（１２）の遠位端部構成とは異なり、エンドエフェクタ（２１２）の異なる構成は、改善された可視化、操作性、及び／又は組織収集効果などの、異なる潜在的利点を提供する。しかしながら、エンドエフェクタ（２１２）の全ての構造が硬質である形態では、アンビル（２１８）の最遠位先端（２１９）の屈曲構成は、アンビル（２１８）が下方ジョー（２１６）に向かって閉鎖される際にアンビル（２１８）と下方ジョー（２１６）との間の空間内に採取されない組織に対して最遠位先端（２１９）が外傷を与え得るため、マーチング操作に対してそれ自体が良好に役立たない場合がある。したがって、エンドエフェクタ（２１２）の全ての構造が硬質である形態では、エンドエフェクタ（２１２）は、切断及びステープル留めされる組織の全てが最遠位先端（２１９）の近位に採取される、切断及びステープル留め操作（例えば、血管横切開）に最も適し得る。
【００３２】
上記を考慮すると、エンドエフェクタ（２１２）の完全に硬質の形態と別途関連付けられ得る外傷のリスクの増加をもたらさずに、エンドエフェクタ（１２）のマーチング能力、エンドエフェクタ（２１２）と関連付けられた改善された視認性、操作性、及び組織採取能力を提供するエンドエフェクタ（１２、２１２）の変形形態を提供することが望ましい場合がある。以下では、エンドエフェクタ（１２、２１２）のそのような変形形態のいくつかの単なる例示的な例を説明する。以下の例では、アンビルは、遠位先端（２１９）のような屈曲又は角度付き構成を採るように弾性的に付勢された遠位先端を有し、更に、弾性的に付勢された遠位先端は、遠位先端に対する十分な荷重に応答して、下方ジョーから離れる方向に偏向可能である。変形可能な先端を提供することは、組織を通って手術部位へとナビゲートするという観点から、更に高度な操作性の利益を提供することができる。このようにして、変形可能な先端は、特にマーチング操作中に、組織を通るエンドエフェクタの平滑かつ非外傷的な運動を促進するために、偏向又は変形し得る。
【００３３】
ＩＩＩ．配置先端を有するエンドエフェクタを含む第２の例示的な外科用器具
図１１〜図２４は、例示的なエンドエフェクタ（３１２、４１２、５１２）及び例示的な配置先端（３１４、４１４、５１４）を有する第２の例示的な器具（３１０）を示す。器具（３１０）は、シャフト（３２２）がハンドル部分（３２０）から選択的に取り外し可能であり、かつハンドル部分（３２０）に選択的に取り付け可能であるようなモジュール式構成を有してもよい。器具（３１０）は器具（１０）と同様に構成されており、そのため、器具（３１０）の操作性及び使用は、モジュール式構成を有する器具（３１０）の追加された特徴を有する器具（１０）について上で説明されるものと同じである。そのモジュール式構成により、器具（３１０）は、所望のエンドエフェクタを変更する方法を提供する。器具（３１０）のモジュール式構成を提供するように動作可能な機能は、その開示が参照により本明細書に組み込まれる、２０１７年３月３０日に公開された、米国特許出願公開第２０１７／００８６８２３号、名称「Ｓｕｒｇｉｃａｌ  Ｓｔａｐｌｉｎｇ  Ｉｎｓｔｒｕｍｅｎｔ  Ｗｉｔｈ  Ｓｈａｆｔ  Ｒｅｌｅａｓｅ，Ｐｏｗｅｒｅｄ  Ｆｉｒｉｎｇ，ａｎｄ  Ｐｏｗｅｒｅｄ  Ａｒｔｉｃｕｌａｔｉｏｎ」、及び／又は、その開示が参照により本明細書に組み込まれる、２０１８年３月１３日に発行された、米国特許第９，９１３，６４２号、名称「Ｓｕｒｇｉｃａｌ  Ｉｎｓｔｒｕｍｅｎｔ  Ｃｏｍｐｒｉｓｉｎｇ  Ａ  Ｓｅｎｓｏｒ  Ｓｙｓｔｅｍ」の教示の少なくとも一部に従って構成されてもよい。いくつかの他の形態では、シャフト（３２２）は、ハンドル部分（３２０）から取り外し可能ではない。
【００３４】
以下でより詳細に考察されるように、エンドエフェクタ（３１２、４１２、５１２）は、ハンドル部分（３２０）から取り外し可能なシャフト（３２２）上に提供される。エンドエフェクタ（３１２、４１２、５１２）は、組織を圧縮、ステープル留め、及び切断するように動作可能である。エンドエフェクタ（３１２、４１２、５１２）は、図１に示すエンドエフェクタ（１２）の代わりに使用されてもよい。いくつかの形態では、エンドエフェクタ（３１２、４１２、５１２）は、シャフト（３２２）と一体的に形成されてもよく、又は、代替的に、別々に形成され、その後、組み合わされてもよい。いくつかの形態では、エンドエフェクタ（３１２、４１２、５１２）は、ロボットシステムで使用するために提供されてもよい。このようなロボットシステムでは、以下のエンドエフェクタ（３１２、４１２、５１２）のいずれかを有するモジュール式シャフト（３２２）は、ハンドル部分（３２０）が本体を含むロボットシステムの構成要素で置き換えられるように使用されるロボットシステムの一部分に取り付け可能であり得る。以下の配置先端（３１４、４１４、５１４）のいずれかを有するエンドエフェクタ（３１２、４１２、５１２）をユーザ操作又はロボット操作器具に組み込む他の方法は、当業者には明らかであろう。
【００３５】
配置先端（３１４、４１４、５１４）は、非偏向位置から偏向位置へと弾性的に変形するように動作可能である。配置先端（３１４、４１４、５１４）は、エンドエフェクタ（３１２、４１２、５１２）が組織をクランプしていないときに、非偏向位置を得る。より具体的には、この非偏向位置では、エンドエフェクタ（３１２、４１２、５１２）は、図１１に示されるような開放構成にあってもよく、又はエンドエフェクタ（２１２）に関して図８及び図９に示される閉鎖構成にあってもよい。エンドエフェクタ（３１２、４１２、５１２）がこの非偏向位置にある場合、エンドエフェクタ（３１２、４１２、５１２）は、非負荷状態又は非負荷位置で考慮され得る。逆に、エンドエフェクタ（３１２、４１２、５１２）が組織をクランプしているとき、偏向位置（図示せず）では、エンドエフェクタ（３１２、４１２、５１２）は、負荷状態又は負荷位置で考慮されてもよい。偏向位置では、配置先端（３１４、４１４、５１４）の少なくとも一部分が上向きに偏向する。配置先端（３１４、４１４、５１４）の偏向位置は、いくつかの形態では実質的に真っ直ぐであってもよいが、他の形態では、ある程度（例えば、エンドエフェクタ軸線（ＥＥＡ１、ＥＥＡ２、ＥＥＡ３）のわずかに上方又はわずかに下方に）偏向さてもよい。配置先端（３１４、４１４、５１４）の偏向位置は、それぞれの下方ジョー（３１６、４１６、５１６）とアンビル（３１８、４１８、５１８）との間に捕捉されている組織の特性（例えば、厚さ、密度など）によって規定されて、それによって配置先端（３１４、４１４、５１４）の偏向を引き起こしてもよいことが理解されるきである。いくつかの変形形態では、配置先端（３１４、４１４、５１４）は、負荷に応じて偏向しない。
【００３６】
以下に説明する配置先端（３１４、４１４、５１４）は、上記及び以下に記載の任意の外科用器具（１０、３１０）と共に、本明細書に引用される各種の特許文献に記載の多様な手順のいずれにおいても使用することができる。以下でより詳細に説明するように、配置先端（３１４、４１４、５１４）は、単独で、又は配置先端（３１４、４１４、５１４）などの他の配置先端と組み合わせて使用されてもよい。このために、以下の同様の番号は、上で説明される同様の機能を示している。以下に別段の説明がある場合を除き、以下で説明する器具（３１０）は、上で説明される器具（１０）と同様に構築され、かつ動作可能であり得る。したがって、器具（３１０）の一定の詳細は、以下の説明から省略され、そのような詳細は、器具（１０）の説明において既に上で提供されていることが理解される。様々な外科用器具が使用され得る他の好適な方法も、本明細書の教示を考慮することにより当業者に明らかとなるであろう。
【００３７】
本明細書の教示を、その開示が参照により本明細書に組み込まれる、その同日に出願された米国特許出願第［代理人整理番号ＥＮＤ８５９５ＵＳＮＰ．０６５９２１５］、名称「Ｓｕｒｇｉｃａｌ  Ｓｔａｐｌｉｎｇ  Ｅｎｄ  Ｅｆｆｅｃｔｏｒ  Ｃｏｍｐｏｎｅｎｔ  ｗｉｔｈ  Ａｒｔｉｃｕｌａｔｉｏｎ  ａｎｄ  Ａｓｙｍｍｅｔｒｉｃ  Ｄｅｆｏｒｍａｂｌｅ  Ｔｉｐ」の種々の教示と容易に組み合わせられることができることがまた、理解されるべきである。本明細書の教示を米国特許出願第［代理人整理番号ＥＮＤ８５９５ＵＳＮＰ．０６５９２１５］の教示と組み合わせることができる種々の好適な方法が、当業者に明らかになるであろう。
【００３８】
Ａ．第１の実施例の配置先端を備えた第３のエンドエフェクタを含む第２の例示的な外科用器具
図１１〜図１４は、第３の例示的なエンドエフェクタ（３１２）及び第１の例示的な配置先端（３１４）を含む外科用ステープラとして構成された外科用器具（３１０）を示す。エンドエフェクタ（３１２）は、上方ジョー及び下方ジョー（３１６）を含み、上方ジョーはアンビル（３１８）を含む。器具（３１０）は、ハンドル部分（３２０）として示される本体と、ハンドル部分（３２０）から延在するシャフト（３２２）とを更に含む。図１１に示すように、シャフト（３２２）は、エンドエフェクタ（３１２）のエンドエフェクタ軸線（ＥＥＡ１）と同一の直線状にあるが、エンドエフェクタ（３１２）が関節動作ジョイント（３２３）を使用してシャフト（３２２）に対して関節運動しているときには、同一の直線上になく、その代わりに角度付けられてもよい、長手方向軸線（ＬＡ１）を画定する。
【００３９】
図１２〜図１４は、エンドエフェクタ３１２の遠位端部の拡大図を示す。配置先端（３１４）は、アンビル（３１８）の遠位端部（３２１）又は下方ジョー（３１６）の遠位端部のうちの少なくとも１つに隣接して位置する。図１１〜図１４に示されるように、配置先端（３１４）は、アンビル（３１８）の遠位端部（３２１）と連結される。配置先端（３１４）は、アンビル（３１８）と恒久的に連結されてもよく、代替的に、配置先端（３１４）は、アンビル（３１８）と取り外し可能に連結されてもよい。配置先端（３１４）は、一体型部品としてアンビル（３１８）と一体的に形成されてもよく、又は別個に形成された構成要素からなってもよい。配置先端（３１４）は、ステープルカートリッジ（３２４）と同じジョー上に、又はアンビル（３１８）と同じジョー上に位置付けられてもよい。図１１に示すように、上方ジョーは、アンビル（３１８）を含み、一方、下方ジョー（３１６）はステープルカートリッジ（３２４）と取り外し可能に連結される。しかしながら、この関係は、必要に応じて、逆にされてもよい。ステープルカートリッジ（３２４）は、ステープルカートリッジ（３７）と同様の様式で１つ又は２つ以上のステープルを保持するように構成されている。前に説明されるように、アンビル（３１８）又は下方ジョー（３１６）のうちの少なくとも一方は、開放構成と閉鎖構成との間でアンビル（３１８）又は下方ジョー（３１６）の他方に対して移動可能である。図示のように、アンビル（３１８）は、器具（１０）に関して上で説明されるアンビル（１８）と同じ様式で、下方ジョー（３１６）に向かって枢動可能に回転する。このようにして、エンドエフェクタ（３１２）は、横方向に偏向した構成及び配置先端（３１４）の変形性を除いて、エンドエフェクタ（１２）と同様である。
【００４０】
図１２〜図１３は、近位部分（３２６）、中央部分（３２８）、及び遠位部分（３３０）を含む配置先端（３１４）を示す。近位部分（３２６）は、アンビル（３１８）の遠位端部（３２１）から遠位に延在し、下方ジョー（３１６）とは反対側に配設される。中央部分（３２８）は、近位部分（３２６）と遠位部分（３３０）との間に長手方向に配設される。配置先端（３１４）の中央部分（３２８）及び遠位部分（３３０）は各々、エンドエフェクタ（３１２）の長手方向軸、すなわち、エンドエフェクタ軸線（ＥＥＡ１）に沿った非対称的なプロファイルを含む。図１２及び図１４は、左側面（上から見たとき）上の内向きテーパ状部分（３３２）に沿って内向きにテーパ状になっており、更に、外向きテーパ状部分（３３４）に沿って外向きにテーパ状になっている中央部分（３２８）を示す。内向きテーパ状部分及び外向きテーパ状部分（３３２、３３４）の曲率半径は、一定であっても、又は変化してもよい。加えて、図１２に示されるように、反対側の右側面（上から見たとき）は、遠位部分（３３０）に向かって弓状に延在する。図示のように、配置先端（３１４）は、先端部（３３６）で終端する。したがって、この実施例では、配置先端（３１４）は、概ねＣ字形状である。図１３に示されるように、閉鎖構成では、遠位部分（３３０）の接触部分（３３８）は、ステープルカートリッジ（３２４）の遠位の角度付き表面（３２５）と当接する。代替的に、配置先端（３１４）とステープルカートリッジ（３２４）の遠位の角度付き表面（３２５）との間に間隙が存在してもよい。また、配置先端（３１４）の下面（３３９）は、ステープルカートリッジ（３２４）の遠位の角度付き表面（３２５）に対してある角度で配設される。換言すれば、下面（３３９）は、遠位の角度付き表面（３２５）に対して平行ではないが、所望であれば、平行であってもよい。
【００４１】
配置先端（３１４）は、一般に、先端部（３３６）に向かって、近位部分、中央部分、及び遠位部分（３２６、３２８、３３０）に沿って曲線状経路（curvilinear path、ＣＰ１）に従う。図１４及び図１５〜図２０の断面は、アンビル（３１８）又は曲線状経路（ＣＰ１）に対して垂直に取られた配置先端（３１４）の連続した外周を示す。より具体的には、図１５は、アンビル（３１８）の断面を示し、一方、図１６〜図２０は、近位部分、中央部分、及び遠位部分（３２６、３２８、３３０）に沿った様々な位置で取られた配置先端（３１４）の断面を示す。図１５〜図２０の連続する断面の外周は、曲線状経路（ＣＰ１）に沿って先端部（３３６）に向かって移動するにつれて減少する。例えば、図１５に示される断面の外周は、図１８に示す断面の外周よりも大きい、図１７に示される断面の外周よりも大きい、図１６に示される断面の外周よりも大きい。同様に、図１８に示される断面の外周は、図２０に示す断面の外周よりも大きい、図１９に示される断面の外周よりも大きい。
【００４２】
図１４に示される横方向幅に関して、配置先端（３１４）の遠位部分（３３０）は、下方ジョー（３１６）として示される、対向するジョーの横方向幅よりも大きい横方向幅を有する。本明細書で使用するとき、横方向幅は、エンドエフェクタ軸線（ＥＥＡ１）に対して垂直に測定される。より具体的には、図１４に示されるように、近位部分（３２６）は、配置先端（３１４）の反対側に配設された下方ジョー（３１６）のジョー幅（ＪＷ１）未満の近位先端幅（ＰＴＷ１）を有する。例えば、近位先端幅（ＰＴＷ１）は、配置先端（３１４）がアンビル（３１８）の遠位端部（３２１）と連結する場合に測定され得る。図１４〜図１５に示されるように、近位先端幅（ＰＴＷ１）は、アンビル（３１８）と同じ横方向幅を有する。中央部分（３２８）は、近位部分（３２６）の横方向幅未満の横方向幅を有する。
【００４３】
遠位部分（３３０）は、配置先端（３１４）の反対側に配設された下方ジョー（３１６）のジョー幅（ＪＷ１）よりも大きい、図２１の断面に示される遠位先端幅（ＤＴＷ１）を有する。図１６及び曲線状経路（ＣＰ１）に対して垂直に取られるがエンドエフェクタ軸線（ＥＥＡ１）に対して垂直ではない図１８〜図２０の断面とは異なり、図２１は、図１５及び図１７と同様に、エンドエフェクタ軸線（ＥＥＡ１）に対して垂直に取られる。図１４に示されるように、遠位部分（３３０）は、単一の側方側面上でのみ、反対側のジョーを越えて延在する張り出し部分（３４８）を含む。しかしながら、角度付き部分（３５０）は、下方ジョー（３１６）の幅又はステープルカートリッジ（３２４）の幅を越えて側方に延在してもよく、このため、配置先端（３１４）は、下方ジョー（３１６）又はステープルカートリッジ（３２４）の両方の側方側面（すなわち、左側面及び右側面）を越えて延在する。先端部（３３６）は、近位表面（３４０）及び遠位表面（３４２）を含み、近位表面（３４０）は、外向きテーパ状部分（３３４）に隣接して延在する。加えて、図１３及び図１４に示されるように、ステープルカートリッジ（３２４）の遠位先端（３４１）は、先端部（３３６）の遠位表面（３４２）を超えて遠位に延在する。換言すれば、下方ジョー（３１６）は、配置先端（３１４）の先端部（３３６）を越えて遠位に延在する。しかしながら、下方ジョー（３１６）は、所望であれば、アンビル（３１８）及び配置先端（３１４）より短く、かつ／又はより狭くてもよい。
【００４４】
遠位部分（３３０）は、遠位部分（３３０）の先端部（３３６）が延在する方向によって画定される先端軸（ＴＡ１）を含む。図示の実施例では、先端軸（ＴＡ１）は、配置先端（３１４）の近位表面（３４０）を使用して測定される。代替的に、他の表面（例えば、遠位表面（３４２））も使用されてもよい。図１４に示すように、先端軸（ＴＡ１）は、エンドエフェクタ軸（ＥＥＡ１）及びシャフト（３２２）の長手方向軸線（ＬＡ１）に対して概ね垂直である。換言すれば、先端部（３３６）とエンドエフェクタ軸線（ＥＥＡ１）との間に形成される角度ベータ（β）は、約９０度である。しかしながら、この非ゼロ角度を変えてもよい。図１２及び図１４に示されるように、配置先端（３１４）の幾何学的形状を考慮すると、配置先端（３１４）の遠位部分（３３０）は、配置先端（３１４）が患者のトロカールを通って遠位に前進される際に近位に偏向するように構成されている。
【００４５】
Ｂ．第２の実施例の配置先端を備えた第４のエンドエフェクタを含む第２の例示的な外科用器具
図２２〜図２４は、第４の例示的なエンドエフェクタ（４１２）及び第２の例示的な配置先端（４１４）を示す。エンドエフェクタ（４１２）及び配置先端（４１４）は、以下に示される顕著な差異を有する、図１１〜図２１に関連して説明されるエンドエフェクタ（３１２）及び配置先端（３１４）と同様である。エンドエフェクタ（４１２）は、配置先端（４１４）と、下方ジョー（４１６）と、アンビル（４１８）と、遠位端部（４２１）と、ステープルカートリッジ（４２４）と、遠位の角度付き表面（４２５）と、近位部分（４２６）と、中央部分（４２８）と、遠位部分（４３０）と、内向きテーパ状部分（４３２）と、外向きテーパ状部分（４３４）と、先端部（４３６）と、下面（４３９）と、近位表面（４４０）と、遠位表面（４４２）と、角度付き部分（４５０）と、を含む。
【００４６】
図２２に示されるように、上方ジョーはアンビル（４１８）を含み、下方ジョー４１６）は下方ジョー（１６、３１６）と同様である。ステープルカートリッジ（４２４）は、下方ジョー（１６、３１６）及びステープルカートリッジ（３７、３２４）と同様の様式及び機能で下方ジョー（４１６）と取り外し可能に連結される。下方ジョー（４１６）又はアンビル（４１８）のうちの少なくとも一方は、開放構成（エンドエフェクタ（３１２）に関して図１１に示される）と閉鎖構成（図２２〜図２３に示される）との間で、下方ジョー（４１６）又はアンビル（４１８）の他方に対して移動可能である。アンビル（４１８）は、器具（１０、３１０）に関して上で説明されるアンビル（１８、３１８）と同様に、下方ジョー（４１６）に向かって枢動可能に回転する。したがって、エンドエフェクタ（４１２）は、エフェクタ（１２）と同様であるが、アンビル（４１８）は、弾性的に変形可能な配置先端（４１４）を含む。図示されていないが、配置先端（４１４）は、アンビル（４１８）の遠位端部（４２１）又は下方ジョー（４１６）の遠位端部の一方又は両方に隣接して位置してもよい。
【００４７】
図２２〜図２４は、近位部分、中央部分、及び遠位部分（４２６、４２８、４３０）を含む配置先端（４１４）を示す。近位部分（４２６）は、アンビル（４１８）の遠位端部（４２１）から遠位に延在し、下方ジョー（４１６）とは反対側に配設される。中央部分（４２８）は、近位部分と遠位部分（４２６、４３０）との間に長手方向に配設される。配置先端（４１４）の中央部分（４２８）及び遠位部分（４３０）は各々、エンドエフェクタ軸線（ＥＥＡ２）に沿った非対称的なプロファイルを含む。図２２及び２４に示されるように、中央部分（４２８）は、内向きテーパ状部分（４３２）に沿って内向きにテーパ状になっており、更に、外向きテーパ状部分（４３４）に沿って外向きにテーパ状になっている。内向きテーパ状部分及び外向きテーパ状部分（４３２、４３４）の曲率半径は、一定であっても、又は変化してもよい。加えて、図２４に示すように、反対側の側面は、遠位部分（４３０）に向かって弓状に延在する。配置先端（４１４）は先端部（４３６）で終端する。図１４〜図２０に関連して説明される配置先端（３１４）と同様に、曲線状経路（ＣＰ２）に対して垂直に取られた配置先端（４１４）の連続する外周は、先端部（４３６）に向かって移動するにつれて減少する。
【００４８】
図２２に示すように、遠位部分（４３０）は、配置先端（３１４）とは異なる様式で、下方ジョー（４１６）及びステープルカートリッジ（４２４）に向かって張り出し部分（４４４）で下向きに延在する。更に、図２３に示すように、遠位部分（４３０）の突起部（４４６）は、ステープルカートリッジ（４２４）の遠位角度付き表面（４２５）の下方に延在し、ステープルカートリッジ（４２４）の底面（４３８）に近づく。図示のように、先端部（４３６）は、閉鎖構成において、ステープルカートリッジ（４２４）のテーパ状側面（４４８）からある距離離間している。代替的に、先端部（４３６）は、閉鎖構成でステープルカートリッジ（４２４）のテーパ状側面（４４８）に対して平行に延在し、かつこれと接触してもよい。
【００４９】
図２４に示す横方向幅に関して、配置先端（４１４）の遠位部分（４３０）は、下方ジョー（４１６）として示される、対向するジョーの横方向幅未満の横方向幅を有する。本明細書で使用するとき、横方向幅は、エンドエフェクタ軸線（ＥＥＡ２）に対して垂直に測定される。より具体的には、図２４に示すように、近位部分（４２６）は、配置先端（４１４）の反対側に配設された下方ジョー（４１６）のジョー幅（ＪＷ２）未満の近位先端幅（ＰＴＷ２）を有する。近位先端幅は、配置先端（４１４）がアンビル（４１８）の遠位端部（４２１）と連結する場合に測定され得る。加えて、遠位部分（４３０）は、配置先端（４１４）の反対側に配設された下方ジョー（４１６）のジョー幅（ＪＷ２）未満の遠位先端幅（ＤＴＷ２）を有する。
【００５０】
加えて、遠位部分（４３０）は、１つの側方側面上でのみ、反対側のジョーを越えて延在する張り出し部分（４４４）を含む。しかしながら、角度付き部分（４３５）は、下方ジョー（４１６）の幅又はステープルカートリッジ（４２４）の幅を越えて側方に延在してもよく、このため、配置先端（４１４）は、下方ジョー（４１６）又はステープルカートリッジ（４２４）の両方の側方側面を越えて延在する。中央部分（４２８）は、近位部分（４２６）の横方向幅未満の横方向幅を有する。加えて、下方ジョー（４１６）は、配置先端（４１４）の先端部（４３６）を越えて遠位に延在する。より具体的には、図２３に示すように、ステープルカートリッジ（４２４）の遠位先端（４４１）は、先端部（４３６）の遠位表面（４４２）を越えて遠位に延在する。しかしながら、下方ジョー（４１６）は、所望であれば、アンビル（４１８）及び配置先端（４１４）より短く、かつ／又はより狭くてもよい。
【００５１】
Ｃ．第３の実施例の配置先端を備えた第５のエンドエフェクタを含む第２の例示的な外科用器具
図２５は、第５の例示的なエンドエフェクタ（５１２）及び第３の例示的な配置先端（５１４）を示す。エンドエフェクタ（５１２）及び配置先端（５１４）は、以下に示される顕著な差異を有する、図１１〜図２１に関連して説明されるエンドエフェクタ（３１２）及び配置先端（３１４）と同様である。エンドエフェクタ（５１２）は、配置先端（５１４）と、下方ジョー（５１６）と、アンビル（５１８）と、遠位端部（５２１）と、ステープルカートリッジ（５２４）と、遠位角度付き表面（５２５）と、近位部分（５２６）と、遠位部分（５３０）と、を含む。
【００５２】
図２５に示すように、上方ジョーはアンビル（５１８）を含み、下方ジョー（５１６）は下方ジョー（１６、３１６）と同様である。ステープルカートリッジ（５２４）は、上記の下方ジョー（１６、３１６）及びステープルカートリッジ（３７、３２４）と同様の様式及び機能で下方ジョー（５１６）と取り外し可能に連結される。下方ジョー（５１６）又はアンビル（５１８）のうちの少なくとも一方は、開放構成（エンドエフェクタ（３１２）に関して図１１に示される）と閉鎖構成（図２５に概ね示される）との間で、下方ジョー（５１６）又はアンビル（５１８）の他方に対して移動可能である。アンビル（５１８）は、器具（１０、３１０）に関して上で説明されるアンビル（１８、３１８）と同様に、下方ジョー（５１６）に向かって枢動可能に回転する。したがって、エンドエフェクタ（５１２）は、エフェクタ（１２）と同様であるが、アンビル（５１８）は、弾性的に変形可能な配置先端（５１４）を含む。図示されていないが、配置先端（５１４）は、アンビル（５１８）の遠位端部（５２１）又は下方ジョー（５１６）の遠位端部の一方又は両方に隣接して位置してもよい。
【００５３】
図２５は、エンドエフェクタ軸線（ＥＥＡ３）に沿って各々対称的である近位部分及び遠位部分（５２６、５３０）を含む配置先端（５１４）を示す。近位部分（５２６）は、アンビル（５１８）の遠位端部（５２１）から遠位に延在し、下方ジョー（５１６）とは反対側に配設される。遠位部分（５３０）は、外向きテーパ状部分（５３２ａ〜ｂ）に沿って外向きにテーパ状になっており、更に、内向きテーパ状部分（５３４ａ〜ｂ）に沿って内向きにテーパ状になっている。内向きテーパ状部分及び外向きテーパ状部分（５３２ａ〜ｂ、５３４ａ〜ｂ）の曲率半径は、一定であっても、又は変化してもよい。配置先端（５１４）は、エンドエフェクタ軸線（ＥＥＡ３）に沿った先端部で終端する。
【００５４】
図２５に示す横方向幅に関して、配置先端（５１４）の遠位部分（５３０）は、下方ジョー（５１６）として示される、反対側のジョーの横方向幅よりも大きい横方向幅を有する。本明細書で使用するとき、横方向幅は、エンドエフェクタ軸線（ＥＥＡ３）に対して垂直に測定される。より具体的には、近位部分（５２６）は、配置先端（５１４）の反対側に配設された下方ジョー（５１６）のジョー幅（ＪＷ３）未満の近位先端幅（ＰＴＷ３）を有する。近位先端幅（ＰＴＷ３）は、アンビル先端幅と同じであるとして示されるアンビル（５１８）の遠位端部（５２１）と配置先端（５１４）が連結する場合に測定されてもよい。
【００５５】
加えて、遠位部分（５３０）は、配置先端（５１４）の反対側に配置された下方ジョー（５１６）のジョー幅（ＪＷ３）よりも大きい図２５の断面図に示される遠位先端幅（ＤＴＷ３）を有する。加えて、遠位部分（５３０）は、各々が両方の側方側面で反対側のジョーの横方向幅を越えて延在する第１の張り出し部分及び第２の張り出し部分（５３８、５４０）を含む。図示のように、配置先端（５１４）は、両方の下方ジョー（５１６）及びステープルカートリッジ（５２４）の両方の側方側面（左側面及び右側面）を越えて延在する。第１の張り出し部分及び第２の張り出し部分（５３８、５４０）は、エンドエフェクタ軸線（ＥＥＡ３）に関して対称的である。図示のように、下方ジョー（５１６）は、配置先端（５１４）の先端部（５３６）を越えて遠位に延在する。しかしながら、下方ジョー（５１６）は、所望であれば、アンビル（５１８）及び配置先端（５１４）より短く、かつ／又はより狭くてもよい。
【００５６】
ＩＶ．例示的な組み合わせ
以下の実施例は、本明細書の教示を組み合わせるか又は適用することができる、様々な非網羅的な方式に関する。以下の実施例は、本出願における又は本出願の後の出願におけるどの時点でも提示され得る、いずれの特許請求の範囲の適用範囲をも限定することを目的としたものではない、と理解すべきである。一切の棄権を意図するものではない。以下の実施例は、単なる例示の目的で提供されるものに過ぎない。本明細書の様々な教示は、多くの他の方式で構成及び適用され得ると考えられる。また、いくつかの変形形態では、以下の実施例において言及される特定の特徴を省略してよいことも、考えられる。したがって、本発明者ら又は本発明者らの利益の継承者により、後日、そうである旨が明示的に示されない限り、以下に言及される態様又は特徴のいずれも重要なものとしてみなされるべきではない。以下に言及される特徴以外の更なる特徴を含むいかなる特許請求の範囲も本出願において、又は本出願に関連する後の出願において示される場合、それらの更なる特徴は、特許性に関連するいかなる理由によっても追加されたものとして仮定されるべきではない。
【実施例１】
【００５７】
器具であって、（ａ）本体と、（ｂ）本体から延在するシャフトと、（ｃ）シャフトと連通するエンドエフェクタと、を備え、エンドエフェクタが長手方向軸を画定し、エンドエフェクタが組織を圧縮し、ステープル留めし、切断するように動作可能であり、エンドエフェクタが、（ｉ）対向する第１のジョー及び第２のジョーであって、第１のジョー及び第２のジョーのうちの少なくとも一方が、開放構成と閉鎖構成との間で第１のジョー及び第２のジョーの他方に対して移動可能である、対向する第１のジョー及び第２のジョーと、（ｉｉ）１つ又は２つ以上のステープルを保持するように構成されたステープルカートリッジであって、ステープルカートリッジが第２のジョーと連結される、ステープルカートリッジと、（ｉｉｉ）第１のジョーの遠位端部又は第２のジョーの遠位端部から延在する配置先端であって、配置先端が曲線状経路に沿って延在し、かつ先端部で終端し、配置先端が、曲線状経路に対して垂直に取られた配置先端の連続する外周が先端部に向かって移動するにつれて減少するように構成されており、先端部が、エンドエフェクタの長手方向軸に対して非ゼロ角度で延在する、配置先端と、を備える、器具。
【実施例２】
【００５８】
第１のジョーが、配置先端と連結されたアンビルを含み、第２のジョーがステープルカートリッジと取り外し可能に連結されている、実施例１に記載の器具。
【実施例３】
【００５９】
配置先端が、第１のジョーの遠位端部から延在し、配置先端が閉鎖位置においてステープルカートリッジと接触するように構成されている、実施例１又は２のいずれか１つ又は２つに記載の器具。
【実施例４】
【００６０】
第２のジョーが、配置先端の先端部を越えて遠位に延在するように構成されている、実施例１〜３のいずれか１つ又は２つ以上に記載の器具。
【実施例５】
【００６１】
配置先端が、閉鎖位置においてステープルカートリッジの遠位角度付き表面に接触するように構成された遠位部分を含む、実施例１〜４のいずれか１つ又は２つ以上に記載の器具。
【実施例６】
【００６２】
先端部が、閉鎖位置においてステープルカートリッジの側方側面に対して平行に延在し、かつ側方側面に接触するように構成されている、実施例１〜５のいずれか１つ又は２つ以上に記載の器具。
【実施例７】
【００６３】
先端部が、閉鎖位置においてステープルカートリッジの側方側面に対して平行に延在し、かつ側方側面からある距離離れるように構成されている、実施例１〜６のいずれか１つ又は２つ以上に記載の器具。
【実施例８】
【００６４】
配置先端の遠位部分が、エンドエフェクタの長手方向軸に沿って非対称的なプロファイルを有する、実施例１〜７のいずれか１つ又は２つ以上に記載の器具。
【実施例９】
【００６５】
配置先端の遠位部分が、配置先端が患者のトロカールを通って遠位に前進する際に近位方向に偏向するように構成されている、実施例１〜８のいずれか１つ又は２つ以上に記載の器具。
【実施例１０】
【００６６】
遠位部分が、ステープルカートリッジの１つの側方側面上でのみ、反対側のジョーを越えて延在する第１の張り出し部分を含む、実施例１〜９のいずれか１つ又は２つ以上に記載の器具。
【実施例１１】
【００６７】
先端部と長手方向軸との間に形成される角度が約９０度である、実施例１〜１０のいずれか１つ又は２つ以上に記載の器具。
【実施例１２】
【００６８】
配置先端がＣ字形状である、実施例１〜１１のいずれか１つ又は２つ以上に記載の器具。
【実施例１３】
【００６９】
配置先端が近位部分及び遠位部分を含み、近位部分が、配置先端の反対側に配設されたジョーのジョー幅未満の近位先端幅を有し、遠位部分が、配置先端の反対側に配設されたジョーのジョー幅よりも大きい遠位先端幅を有する、実施例１〜１２のいずれか１つ又は２つ以上に記載の器具。
【実施例１４】
【００７０】
配置先端が近位部分及び遠位部分を含み、遠位部分が、反対側のジョーの横方向幅よりも大きい横方向幅を有する、実施例１〜１３のいずれか１つ又は２つ以上に記載の器具。
【実施例１５】
【００７１】
配置先端が、近位部分と遠位部分との間に配設された中央部分を含み、中央部分が、近位部分の横方向幅未満の横方向幅を有し、近位部分の横方向幅が、反対側のジョーの横方向幅未満である、実施例１〜１４のいずれか１つ又は２つ以上に記載の器具。
【実施例１６】
【００７２】
器具であって、（ａ）本体と、（ｂ）本体から延在するシャフトと、（ｃ）シャフトと連通するエンドエフェクタと、を備え、エンドエフェクタが長手方向軸を画定し、エンドエフェクタが組織を圧縮し、ステープル留めし、切断するように動作可能であり、エンドエフェクタが、（ｉ）対向する第１のジョー及び第２のジョーであって、第１のジョー及び第２のジョーのうちの少なくとも一方が、開放位置と閉鎖位置との間で第１のジョー及び第２のジョーの他方に対して移動可能である、対向する第１のジョー及び第２のジョーと、（ｉｉ）１つ又は２つ以上のステープルを保持するように構成されたステープルカートリッジであって、ステープルカートリッジが第２のジョーと連結されている、ステープルカートリッジと、（ｉｉｉ）第１のジョーの遠位端部又は第２のジョーの遠位端部から延在する配置先端であって、配置先端が、（Ａ）近位先端幅を有する近位部分と、（Ｂ）配置先端の反対側に配設されたジョーのジョー幅よりも大きい遠位先端幅を有する遠位部分と、を備える、配置先端と、を備える、器具。
【実施例１７】
【００７３】
遠位部分が、ステープルカートリッジの１つの側方側面上でのみ、反対側のジョーを越えて延在する第１の張り出し部分を含む、実施例１〜１６のいずれか１つ又は２つ以上に記載の器具。
【実施例１８】
【００７４】
遠位部分が、両方の側方側面上で反対側のジョーの幅を越えて延在する第１の張り出し部分及び第２の張り出し部分を含み、第１の張り出し部分及び第２の張り出し部分が、エンドエフェクタの長手方向軸に関して対称的である、実施例１〜１７のいずれか１つ又は２つ以上に記載の器具。
【実施例１９】
【００７５】
器具が、対向して配置された第１のジョー及び第２のジョーを含むエンドエフェクタを備え、配置先端が、（ａ）近位先端幅を有する近位部分と、（ｂ）配置先端の反対側に配置されたジョーのジョー幅よりも大きい遠位先端幅を有する遠位部分と、を備える、実施例１〜１８のいずれか１つ又は２つ以上に記載の器具。
【実施例２０】
【００７６】
遠位部分が、両方の側方側面上で反対側のジョーの幅を越えて延在する第１の張り出し部分及び第２の張り出し部分を含み、第１の張り出し部分及び第２の張り出し部分が、エンドエフェクタの長手方向軸に関して対称的である、実施例１〜１９のいずれか１つ又は２つ以上に記載の器具。
【００７７】
Ｖ．その他
本明細書に記載の教示、表現要素、実施形態、実施例などのうちのいずれか１つ又は２つ以上を、本明細書に記載の他の教示、表現要素、実施形態、実施例などのうちのいずれか１つ又は２つ以上と組み合わせることができる点が理解されるべきである。したがって、上記の教示、表現要素、実施形態、実施例などは、互いに対して独立して考慮されるべきではない。本明細書における教示を鑑みると、本明細書の教示を組み合わせることができる種々の好適な方法が、当業者には直ちに明らかとなろう。このような修正形態及び変形形態は、特許請求の範囲の範囲内に含まれるものとする。
【００７８】
本明細書の教示を、その開示が参照により本明細書に組み込まれる、本明細書と同日に出願された、米国特許出願第［代理人整理番号ＥＮＤ８１１５ＵＳＣＩＰ３．０６５９１９８］、名称「Ｍｅｔｈｏｄ  ｏｆ  Ｓｕｒｇｉｃａｌ  Ｓｔａｐｌｉｎｇ  ｗｉｔｈ  Ｅｎｄ  Ｅｆｆｅｃｔｏｒ  Ｃｏｍｐｏｎｅｎｔ  Ｈａｖｉｎｇ  ａ  Ｃｕｒｖｅｄ  Ｔｉｐ」における種々の教示と容易に組み合わせることができる点がまた、理解されるべきである。本明細書の教示を、米国特許出願第［代理人整理番号ＥＮＤ８１１５ＵＳＣＩＰ３．０６５９１９８］の教示と組み合わせることができる種々の好適な方法が、当業者に明らかになるであろう。
【００７９】
本明細書の教示を、その開示が参照により本明細書に組み込まれる、本明細書と同日に出願された、米国特許出願第［代理人整理番号ＥＮＤ８１１５ＵＳＣＩＰ２．０６５９２０４］号、名称「Ｓｕｒｇｉｃａｌ  Ｓｔａｐｌｉｎｇ  Ｅｎｄ  Ｅｆｆｅｃｔｏｒ  Ｊａｗ  ｗｉｔｈ  Ｔｉｐ  Ｄｅｆｌｅｃｔｉｎｇ  Ｔｏｗａｒｄ  Ｏｔｈｅｒ  Ｊａｗ」における種々の教示と容易に組み合わせることができる点がまた、理解されるべきである。本明細書の教示を、米国特許出願第［代理人整理番号ＥＮＤ８１１５ＵＳＣＩＰ２．０６５９２０４］の教示と組み合わせることができる種々の好適な方法が、当業者に明らかになるであろう。
【００８０】
本明細書の教示を、その開示が参照により本明細書に組み込まれる、本明細書と同日に出願された、米国特許出願第［代理人整理番号ＥＮＤ８１１５ＵＳＣＩＰ１．０６５９２００］号、名称「Ｓｕｒｇｉｃａｌ  Ｓｔａｐｌｉｎｇ  Ｅｎｄ  Ｅｆｆｅｃｔｏｒ  Ｃｏｍｐｏｎｅｎｔ  ｗｉｔｈ  Ｔｉｐ  Ｈａｖｉｎｇ  Ｖａｒｙｉｎｇ  Ｂｅｎｄ  Ａｎｇｌｅ」における種々の教示と容易に組み合わせることができる点がまた、理解されるべきである。本明細書の教示を、米国特許出願第［代理人整理番号ＥＮＤ８１１５ＵＳＣＩＰ１．０６５９２００］の教示と組み合わせることができる種々の好適な方法が、当業者に明らかになるであろう。
【００８１】
本明細書の教示を、その開示が参照により本明細書に組み込まれる、本明細書と同日に出願された、米国特許出願第［代理人整理番号ＥＮＤ７５７８ＵＳＮＰ．０６５８２１３］号、名称「Ｐｅｒｍａｎｅｎｔ  Ａｔｔａｃｈｍｅｎｔ  Ｍｅａｎｓ  ｆｏｒ  Ｃｕｒｖｅｄ  Ｔｉｐ  ｏｆ  Ｃｏｍｐｏｎｅｎｔ  ｏｆ  Ｓｕｒｇｉｃａｌ  Ｓｔａｐｌｉｎｇ  Ｉｎｓｔｒｕｍｅｎｔ」における種々の教示と容易に組み合わせることができる点がまた、理解されるべきである。本明細書の教示を、米国特許出願第［代理人整理番号ＥＮＤ８５７８ＵＳＮＰ．０６５８２１３］の教示と組み合わせることができる種々の好適な方法が、当業者に明らかになるであろう。
【００８２】
本明細書の教示を、その開示が参照により本明細書に組み込まれる、本明細書と同日に出願された、米国特許出願第［代理人整理番号ＥＮＤ８５９３ＵＳＮＰ．０６５９２０８］号、名称「Ｓｕｒｇｉｃａｌ  Ｓｔａｐｌｉｎｇ  Ｅｎｄ  Ｅｆｆｅｃｔｏｒ  Ｃｏｍｐｏｎｅｎｔ  ｗｉｔｈ  Ｄｅｆｏｒｍａｂｌｅ  Ｔｉｐ  Ｈａｖｉｎｇ  Ｖｏｉｄ」における種々の教示と容易に組み合わせることができる点がまた、理解されるべきである。本明細書の教示を、米国特許出願第［代理人整理番号ＥＮＤ８５９３ＵＳＮＰ．０６５９２０８］の教示と組み合わせることができる種々の好適な方法が、当業者に明らかになるであろう。
【００８３】
本明細書の教示を、その開示が参照により本明細書に組み込まれる、本明細書と同日に出願された、米国特許出願第［代理人整理番号ＥＮＤ８５９６ＵＳＮＰ．０６５９２１８］号、名称「Ｓｕｒｇｉｃａｌ  Ｓｔａｐｌｉｎｇ  Ｅｎｄ  Ｅｆｆｅｃｔｏｒ  Ｃｏｍｐｏｎｅｎｔ  ｗｉｔｈ  Ｄｅｆｏｒｍａｂｌｅ  Ｔｉｐ  Ｈａｖｉｎｇ  Ｔｈｉｃｋ  Ｄｉｓｔａｌ  Ｅｎｄ」における教示と容易に組み合わせることができる点がまた、理解されるべきである。本明細書の教示を、米国特許出願第［代理人整理番号ＥＮＤ８５９６ＵＳＮＰ．０６５９２１８］の教示と組み合わせることができる種々の好適な方法が、当業者に明らかになるであろう。
【００８４】
本明細書の教示を、その開示が参照により本明細書に組み込まれる、本明細書と同日に出願された、米国特許出願第［代理人整理番号ＥＮＤ８５９７ＵＳＮＰ．０６５９２２１］号、名称「Ｂｕｔｔｒｅｓｓ  Ａｐｐｌｉｅｒ  Ｃａｒｔｒｉｄｇｅ  ｆｏｒ  Ｓｕｒｇｉｃａｌ  Ｓｔａｐｌｅｒ  Ｈａｖｉｎｇ  Ｅｎｄ  Ｅｆｆｅｃｔｏｒ  ｗｉｔｈ  Ｄｅｆｌｅｃｔａｂｌｅ  Ｃｕｒｖｅｄ  Ｔｉｐ」における種々の教示と容易に組み合わせることができる点がまた、理解されるべきである。本明細書の教示を、米国特許出願第［代理人整理番号ＥＮＤ８５９７ＵＳＮＰ．０６５９２２１］の教示と組み合わせることができる種々の好適な方法が、当業者に明らかになるであろう。
【００８５】
参照により本明細書に組み込まれると言及されたいかなる特許、公報、又は他の開示内容も、全体的に又は部分的に、組み込まれた内容が現行の定義、見解、又は本開示に記載される他の開示内容とあくまで矛盾しない範囲でのみ本明細書に組み込まれる、と理解されなければならない。それ自体、また必要な範囲で、本明細書に明瞭に記載される開示は、参考により本明細書に組み込まれるあらゆる矛盾する資料に優先するものとする。参照により本明細書に組み込まれると言及されているが、現行の定義、見解、又は本明細書に記載される他の開示内容と矛盾する任意の内容、又はそれらの部分は、組み込まれた内容と現行の開示内容との間に矛盾が生じない範囲においてのみ、組み込まれるものとする。
【００８６】
上で説明される装置の形態は、医療専門家により行われる従来の医療処置及び手術における用途のみではなく、ロボット支援された医療処置及び手術における用途をも有することができる。単なる例として、本明細書の様々な教示は、ロボット外科用システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムなどに容易に組み込むことができる。
【００８７】
上で説明される装置の形態は、１回の使用後に処分するように設計することができ、又はそれらは、複数回使用するように設計することができる。形態は、一方又はその両方の場合において、少なくとも１回の使用後に再利用のために再調整されてよい。再調整は、装置の分解工程、それに続く特定の部品の洗浄又は交換工程、及びその後の再組み立て工程の、任意の組み合わせを含み得る。特に、装置のいくつかの形態は分解することができ、また、装置の任意の数の特定の部分若しくは部品を、任意の組み合わせで選択的に交換又は取り外してもよい。特定の部品の洗浄及び／又は交換後、装置のいくつかの形態を、再調整用の施設において、又は処置の直前に使用者によってのいずれかで、その後の使用のために再組み立てすることができる。当業者であれば、装置の再調整において、分解、洗浄／交換、及び再組み立てのための様々な技術を利用することができることを理解するであろう。このような技術の使用、及び結果として得られる再調整された装置は、全て本出願の範囲内にある。
【００８８】
単なる例として、本明細書に記載される形態は、処置前及び／又は処置後に滅菌されてもよい。１つの滅菌技術では、装置をプラスチック製又はＴＹＶＥＫ製のバックなど、閉鎖及び封止された容器に配置する。続いて、容器及び装置を、γ線、Ｘ線、又は高エネルギー電子線などの、容器を透過し得る放射線場に置いてもよい。放射線は、装置上及び容器内の細菌を死滅させ得る。次に、滅菌された装置を、後の使用のために、滅菌容器内に保管してもよい。β線若しくはγ線、エチレンオキシド、又は水蒸気が挙げられるがこれらに限定されない、当該技術分野で周知の他の任意の技術を用いて、装置を滅菌してもよい。
【００８９】
以上、本発明の様々な実施形態を示し、記載したが、当業者による適切な修正により、本発明の範囲から逸脱することなく、本明細書に記載の方法及びシステムの更なる適合化を実現することができる。このような可能な修正のうちのいくつかについて述べたが、他の修正も当業者には明らかとなるであろう。例えば、上で考察される実施例、実施形態、幾何学的形態、材料、寸法、比率、工程などは例示的なものであって、必須のものではない。したがって、本発明の範囲は、以下の特許請求の範囲の観点から考慮されるべきであり、本明細書及び図面において図示され、説明された構造及び動作の細部に限定されないものとして、理解されたい。
【００９０】
〔実施の態様〕
（１）  器具であって、
（ａ）本体と、
（ｂ）前記本体から延在しているシャフトと、
（ｃ）前記シャフトと連通するエンドエフェクタと、を備え、前記エンドエフェクタが、長手方向軸を画定し、前記エンドエフェクタが、組織を圧縮し、ステープル留めし、かつ切断するように動作可能であり、前記エンドエフェクタが、
（ｉ）対向する第１のジョー及び第２のジョーであって、前記第１のジョー及び前記第２のジョーのうちの少なくとも一方が、開放構成と閉鎖構成との間で前記第１のジョー及び前記第２のジョーの他方に対して移動可能である、対向する第１のジョー及び第２のジョーと、
（ｉｉ）１つ又は２つ以上のステープルを保持するように構成されたステープルカートリッジであって、前記ステープルカートリッジが前記第２のジョーと連結されている、ステープルカートリッジと、
（ｉｉｉ）前記第１のジョーの遠位端部又は前記第２のジョーの遠位端部から延在する配置先端であって、前記配置先端が、曲線状経路に沿って延在し、先端部で終端し、前記配置先端が、前記曲線状経路に対して垂直に取られた前記配置先端の連続する外周が前記先端部に向かって移動するにつれて減少するように構成されており、前記先端部が、前記エンドエフェクタの前記長手方向軸に対して非ゼロ角度で延在する、配置先端と、を備える、器具。
（２）  前記第１のジョーが、前記配置先端と連結されたアンビルを含み、前記第２のジョーが前記ステープルカートリッジと取り外し可能に連結されている、実施態様１に記載の器具。
（３）  前記配置先端が、前記第１のジョーの前記遠位端部から延在し、前記配置先端が、前記閉鎖位置において前記ステープルカートリッジと接触するように構成されている、実施態様１に記載の器具。
（４）  前記第２のジョーが、前記配置先端の前記先端部を越えて遠位に延在するように構成されている、実施態様１に記載の器具。
（５）  前記配置先端が、前記閉鎖位置において前記ステープルカートリッジの遠位角度付き表面に接触するように構成されている遠位部分を含む、実施態様１に記載の器具。
【００９１】
（６）  前記先端部が、前記閉鎖位置において前記ステープルカートリッジの側方側面に対して平行に延在し、かつ前記側方側面に接触するように構成されている、実施態様１に記載の器具。
（７）  前記先端部が、前記閉鎖位置において前記ステープルカートリッジの側方側面に対して平行に延在し、かつ前記側方側面からある距離離れるように構成されている、実施態様１に記載の器具。
（８）  前記配置先端の遠位部分が、前記エンドエフェクタの前記長手方向軸に沿った非対称的なプロファイルを有する、実施態様１に記載の器具。
（９）  前記配置先端の遠位部分が、前記配置先端が患者のトロカールを通って遠位に前進するときに近位に偏向するように構成されている、実施態様１に記載の器具。
（１０）  前記遠位部分が、前記ステープルカートリッジの１つの側方側面上でのみ、反対側の前記ジョーを越えて延在する第１の張り出し部分を含む、実施態様１に記載の器具。
【００９２】
（１１）  前記先端部と前記長手方向軸との間に形成された角度が、約９０度である、実施態様１に記載の器具。
（１２）  前記配置先端が、Ｃ字形状である、実施態様１に記載の器具。
（１３）  前記配置先端が、近位部分及び遠位部分を含み、前記近位部分が、前記配置先端の反対側に配設された前記ジョーのジョー幅未満の近位先端幅を有し、前記遠位部分が、前記配置先端の反対側に配設された前記ジョーの前記ジョー幅よりも大きい遠位先端幅を有する、実施態様１に記載の器具。
（１４）  前記配置先端が、近位部分及び遠位部分を含み、前記遠位部分が、反対側の前記ジョーの横方向幅よりも大きい横方向幅を有する、実施態様１に記載の器具。
（１５）  前記配置先端が、前記近位部分と前記遠位部分との間に配設された中央部分を含み、前記中央部分が、前記近位部分の横方向幅未満の横方向幅を有し、前記近位部分の前記横方向幅が、前記反対側のジョーの横方向幅未満である、実施態様１４に記載の器具。
【００９３】
（１６）  器具であって、
（ａ）本体と、
（ｂ）前記本体から延在しているシャフトと、
（ｃ）前記シャフトと連通するエンドエフェクタと、を備え、前記エンドエフェクタが、長手方向軸を画定し、前記エンドエフェクタが、組織を圧縮し、ステープル留めし、かつ切断するように動作可能であり、前記エンドエフェクタが、
（ｉ）対向する第１のジョー及び第２のジョーであって、前記第１のジョー及び前記第２のジョーのうちの少なくとも一方が、開放位置と閉鎖位置との間で前記第１のジョー及び前記第２のジョーの他方に対して移動可能である、対向する第１のジョー及び第２のジョーと、
（ｉｉ）１つ又は２つ以上のステープルを保持するように構成されたステープルカートリッジであって、前記ステープルカートリッジが前記第２のジョーと連結されている、ステープルカートリッジと、
（ｉｉｉ）前記第１のジョーの遠位端部又は前記第２のジョーの遠位端部から延在する配置先端であって、前記配置先端が、
（Ａ）近位先端幅を有する近位部分と、
（Ｂ）前記配置先端の反対側に配設された前記ジョーのジョー幅よりも大きい遠位先端幅を有する遠位部分と、を備える、配置先端と、を備える、器具。
（１７）  前記遠位部分が、前記ステープルカートリッジの１つの側方側面上でのみ、反対側の前記ジョーを越えて延在する第１の張り出し部分を含む、実施態様１６に記載の器具。
（１８）  前記遠位部分が、両方の側方側面上で反対側の前記ジョーの前記幅を越えて延在する第１の張り出し部分及び第２の張り出し部分を含み、前記第１の張り出し部分及び前記第２の張り出し部分が、前記エンドエフェクタの前記長手方向軸に関して対称的である、実施態様１６に記載の器具。
（１９）  器具のための配置先端であって、前記器具が、対向して配設された第１のジョー及び第２のジョーを含むエンドエフェクタを備え、前記配置先端が、
（ａ）近位先端幅を有する近位部分と、
（ｂ）前記配置先端の反対側に配設された前記ジョーのジョー幅よりも大きい遠位先端幅を有する遠位部分と、を備える、配置先端。
（２０）  前記遠位部分が、両方の側方側面上で反対側の前記ジョーの前記幅を越えて延在する第１の張り出し部分及び第２の張り出し部分を含み、前記第１の張り出し部分及び前記第２の張り出し部分が、前記エンドエフェクタの前記長手方向軸に関して対称的である、実施態様１９に記載の配置先端。
【図１】
2021530307.tif 000003
【図２】
2021530307.tif 000004
【図３】
2021530307.tif 000005
【図４Ａ】
2021530307.tif 000006
【図４Ｂ】
2021530307.tif 000007
【図５】
2021530307.tif 000008
【図６】
2021530307.tif 000009
【図７】
2021530307.tif 000010
【図８】
2021530307.tif 000011
【図９】
2021530307.tif 000012
【図１０】
2021530307.tif 000013
【図１１】
2021530307.tif 000014
【図１２】
2021530307.tif 000015
【図１３】
2021530307.tif 000016
【図１４】
2021530307.tif 000017
【図１５−２１】
2021530307.tif 000018
【図２２】
2021530307.tif 000019
【図２３】
2021530307.tif 000020
【図２４】
2021530307.tif 000021
【図２５】
2021530307.tif 000022
【国際調査報告】
2021530307.tif 000023
2021530307.tif 000024
2021530307.tif 000025
2021530307.tif 000026
2021530307.tif 000027
2021530307.tif 000028